【事件の表示】
　特願２０１３−５５５１８５「動画像符号化方法、動画像符号化装置、動画像復号方法、および、動画像復号装置」拒絶査定不服審判事件〔２０１３年（平成２５年）８月１日国際公開、ＷＯ２０１３／１１１５５１〕について、次のとおり審決する。
【結　論】
　本件審判の請求は、成り立たない。
【理　由】
第１　手続の経緯
　本願は、２０１３年（平成２５年）１月２１日（パリ条約による優先権主張外国庁受理２０１２年１月２７日、米国）を国際出願日とする出願であって、その手続の経緯は以下のとおりである。
　平成２８年　８月２２日付け：拒絶理由通知書
　　　　同年１１月２９日　　：意見書、手続補正書の提出
　平成２９年　６月　１日付け：拒絶理由通知書
　　　　同年１２月　６日　　：意見書、手続補正書の提出
　平成３０年　６月２２日付け：拒絶査定
　　　　同年１０月２４日　　：審判請求書の提出
　令和　元年１２月１０日付け：拒絶理由通知書（当審）
　令和　２年　３月１７日　　：意見書、手続補正書の提出
第２　当審による拒絶の理由
　当審により令和元年１２月１０日付けで通知された拒絶の理由（以下、「当審拒絶理由」という。）は、本件出願の請求項１〜５に係る発明は、その出願の日前の外国語特許出願（特許法第１８４条の４第３項の規定により取り下げられたものとみなされたものを除く。）であって、その出願後に国際公開がされた以下の外国語特許出願の国際出願日における国際出願の明細書、請求の範囲又は図面に記載された発明と同一であり、しかも、本件出願の発明者がその出願前の外国語特許出願に係る上記の発明をした者と同一ではなく、また本件出願の時において、その出願人が上記外国語特許出願の出願人と同一でもないので、特許法第２９条の２の規定により、特許を受けることができない（同法第１８４条の１３参照）、というものである。
　先願１：国際特許出願ＰＣＴ／ＥＰ２０１２／０７２２９９号
　　　　　（国際公開第２０１３／０６８５４７号）
　　　　　（特表２０１４−５３３０５６号公報参照）
第３　本願発明
　上記当審拒絶理由に対して、令和２年３月１７日に提出された手続補正書による手続補正で補正された特許請求の範囲の請求項１に記載された発明（以下、「本願発明」という。）は、以下のとおりである。
　なお、各構成の符号（Ａ）〜（Ｈ３）は、説明のために当審で付したものであり、以下、「構成Ａ」〜「構成Ｈ３」と称する。また、下線は今次補正箇所である。
〔本願発明〕
【請求項１】
（Ａ）複数の動きベクトルを含むリストを用いて、動画像を符号化する動画像符号化方法であって、
（Ｈ１）
符号化処理を第１規格に準拠する第１符号処理または第２規格に準拠する第２符号化処理に切り替える切り替えステップと、
（Ｈ２）
切り替えられた前記符号化処理が準拠する第１規格または第２規格を示す識別情報をビットストリームに付加する付加ステップと、を含み、
（Ｈ３）
前記識別情報が前記第１規格を示すとき、
（Ａ）
前記動画像符号化方法は、
（Ｂ）（ａ）符号化対象ピクチャとは異なるピクチャに含まれるブロックであって前記符号化対象ピクチャに含まれる符号化対象ブロックの位置に対応する位置のブロックであるｃｏ−ｌｏｃａｔｅｄブロックを含むピクチャと、（ｂ）前記符号化対象ピクチャとが同一のビューに属するか否かを判定する判定ステップと、
（Ｃ１）前記ｃｏ−ｌｏｃａｔｅｄブロックを含むピクチャと前記符号化対象ピクチャとが異なるビューに属すると前記判定ステップにおいて判定された場合に、前記ｃｏ−ｌｏｃａｔｅｄブロックの位置を補正する補正ステップと、
（Ｄ）前記ｃｏ−ｌｏｃａｔｅｄブロックから導出される動きベクトルを前記リストに追加する追加ステップと、
（Ｅ）前記リストから、前記符号化対象ブロックの符号化のために用いる動きベクトルを選択する選択ステップと、
（Ｆ）選択された前記動きベクトルを用いて前記符号化対象ブロックを符号化する符号化ステップと、を含み、
（Ｃ１）前記補正ステップは、
（Ｃ２）前記ｃｏ−ｌｏｃａｔｅｄブロックを含むピクチャが属するビューと、前記符号化対象ピクチャが属するビューとの間の視差ベクトルを取得する視差ベクトル取得ステップと、
（Ｃ３）取得された前記視差ベクトルの分、前記ｃｏ−ｌｏｃａｔｅｄブロックの位置を補正する位置補正ステップとを含み、
（Ｇ）前記ｃｏ−ｌｏｃａｔｅｄブロックを含むピクチャと前記符号化対象ピクチャとが異なるビューに属する場合に、前記リストには、前記符号化対象ピクチャと同一のビューに属するピクチャから導出される動きベクトルと、前記符号化対象ピクチャと異なるビューに属する前記ｃｏ−ｌｏｃａｔｅｄブロックから導出される動きベクトルと、が含まれる、
（Ａ）動画像符号化方法。
第４　先願
１　国際出願明細書等の記載事項
　本願の優先日前の外国語特許出願（優先日：２０１１年１１月１１日）であって、本願の国際出願の優先日の後に国際公開がされた上記先願１（以下、「先願」という。）の国際出願日における明細書、特許請求の範囲及び図面（以下、「国際出願明細書等」という。）には、以下の記載がある。
　なお、国際出願明細書等の記載事項に続く仮訳は、先願の公表公報である特表２０１４−５３３０５６号公報に基づく訳文である。また、下線は当審が強調のために付したものである。
　さらに、国際出願明細書等の記載箇所の後にかっこ書きで、優先権主張出願の願書に最初に添付された明細書又は図面における対応する記載箇所も付記する。
ア「
The present invention is concerned with multi-view coding in accordance with a multi-view codec.
In multi-view video coding, two or more views of a video scene
are coded
（仮訳：
本発明は、マルチビューコーデックによるマルチビュー符号化に関する。
マルチビュービデオ符号化において、ビデオシーンの２つ以上のビュー
は、
符号化される。
イ「
It is the object of the present invention to provide a more efficient multi-view coding concept.
（仮訳：
本発明の目的は、より効率的なマルチビュー符号化概念を提供することである。
ウ「・Motion vectors are not coded by using a fixed motion vector predictor. Instead 
there exists a list of motion vector predictor candidates, and one of these predictors is adaptively chosen on a block basis.
（仮訳：・動きベクトルは、一定の動きベクトル予測を用いることによって符号化されない。その代わりに、
動きベクトル予測候補のリストが存在し、さらに、これらの予測の１つは、ブロックベースで適応的に選択される。
エ「In addition, 
a motion/disparity vector difference specifying the difference between the motion/disparity vector used for motion/disparity-compensated prediction and the chosen predictor (indicated by the transmitted index into the motion/disparity vector predictor candidate list) can be transmitted as part of the bitstream.
（仮訳：加えて、
動き／視差補償予測のために用いられる動き／視差ベクトルおよび選択された予測（動き／視差ベクトル予測候補リストに、送信されたインデックスによって示される）間の差を特定する動き／視差ベクトル差は、ビットストリームの部分として送信され得る。
オ「The reference picture list and the motion/disparity vector predictor candidate list are derived in the same way at encoder and decoder side. In specific configurations, one or more parameters are transmitted in the bitstream, for specifying how the reference picture lists and/or motion/disparity vector predictor candidate lists are derived. For the preferred embodiment of the invention, 
for at least one of the blocks of a picture in a dependent view such as 22, the list of motion/disparity vector predictor candidates contains a motion or disparity vector predictor candidate that is derived based on the given (estimated) depth values or based on the given (estimated) depth value and the motion parameters of an already coded view.
Beside the motion/disparity vector predictor that is derived based on the given depth values and motion parameters of already coded views, the candidate list of motion/disparity vectors predictors may contain
temporally predicted motion/disparity vectors (for example, a motion/disparity vector that is derived based on the motion/disparity vector of a co-located block in an already coded picture of the same view).
（仮訳：参照ピクチャリストおよび動き／視差ベクトル予測候補リストは、エンコーダおよびデコーダ側で同様に導出される。特定の構成において、１つ以上のパラメータは、参照ピクチャリストおよび／または動き／視差ベクトル予測候補リストが導出される方法を特定するために、ビットストリームにおいて送信される。本発明の好適な実施形態について、
２２のようなディペンデントビューにおけるピクチャのブロックの少なくとも１つのために、動き／視差ベクトル予測候補のリストは、所定の（推定された）デプス値に基づいて、または、所定の（推定された）デプス値およびすでに符号化されたビューの動きパラメータに基づいて、導出される動きまたは視差ベクトル予測候補を含む。所定のデプス値およびすでに符号化されたビューの動きパラメータに基づいて導出される動き／視差ベクトル予測のほかに、動き／視差ベクトル予測の候補リストは、
時間的に予測された動き／視差ベクトル（例えば、同じビューのすでに符号化されたピクチャにおいて同じ位置に配置されたブロックの動き／視差ベクトルに基づいて導出される動き／視差ベクトル）を含むことができる。
カ「For further illustration, 
the basic process for deriving a motion vector for the current block 50c given the motion in a reference view 20
is depicted in Fig. 4
Given a sample location x in the current block 50c and a depth value d for this sample location (which is given by the estimate 64 of the depth map), a disparity vector 102 is derived, and based on this disparity vector 102, a reference sample location xR in the reference view 20 is derived. Then, the motion parameters 42R of the block 40R in the reference view picture 32t1(T) that covers the reference sample location xR are used as a candidate for the motion parameters for the current block 50c in the current view 22.
（仮訳：さらなる説明のために、
参照ビュー２０において動きが与えられる現在のブロック５０Cのための動きベクトル
を導出するための基本的なプロセスは、
図４において表される。現在のブロック５０Cにおけるサンプル位置ｘおよびこのサンプル位置のためのデプス値ｄ（それは、デプスマップの推定６４によって与えられる）が与えられると、視差ベクトル１０２が導出され、さらに、この視差ベクトル１０２に基づいて、参照ビュー２０における参照サンプル位置ｘRが導出される。そして、参照サンプル位置ｘRをカバーする参照ビューピクチャ３２ｔ1（Ｔ）におけるブロック４０Rの動きパラメータ４２Rが、現在のビュー２２における現在のブロック５０Cのための動きパラメータのための候補として用いられる。
キ「
　　　　　　　　　　　　　　　　　　　　　　　」（FIG 4）（優先権主張出願のFigure 4）
（仮訳：
　　　　　　　　　　　　　　　　　　　　　　）
２　先願発明
　上記１から、国際出願明細書等には、次の発明（以下、「先願発明」という。）が記載されていると認められる。なお、各構成の符号（ア）〜（オ）は、説明のために当審が付したものであり、以下、「構成ア」〜「構成オ」と称する。
（ア）ビデオシーンの２つ以上のビューを符号化するマルチビュービデオ符号化の方法であって、
（イ）動きベクトル予測候補のリストが存在し、これらの予測の１つは、ブロックベースで適応的に選択され、
（ウ）動き／視差補償予測のために用いられる動き／視差ベクトルおよび選択された予測（動き／視差ベクトル予測候補リストに、送信されたインデックスによって示される）間の差を特定する動き／視差ベクトル差は、ビットストリームの部分として送信され、
（エ１）ディペンデントビューにおけるピクチャのブロックの少なくとも１つのために、動き／視差ベクトル予測候補のリストは、所定の（推定された）デプス値に基づいて、または、所定の（推定された）デプス値およびすでに符号化されたビューの動きパラメータに基づいて、導出される動きまたは視差ベクトル予測候補を含み、
（エ２）所定のデプス値およびすでに符号化されたビューの動きパラメータに基づいて導出される動き／視差ベクトル予測のほかに、動き／視差ベクトル予測の候補リストは、時間的に予測された動き／視差ベクトル（例えば、同じビューのすでに符号化されたピクチャにおいて同じ位置に配置されたブロックの動き／視差ベクトルに基づいて導出される動き／視差ベクトル）を含むことができ、
（オ）参照ビュー２０において動きが与えられる現在のブロック５０Cのための動きベクトルを導出するための基本的なプロセスは、
現在のブロック５０Cにおけるサンプル位置ｘおよびこのサンプル位置のためのデプス値ｄ（それは、デプスマップの推定６４によって与えられる）が与えられると、視差ベクトル１０２が導出され、さらに、視差ベクトル１０２に基づいて、参照ビュー２０における参照サンプル位置ｘRが導出され、
参照サンプル位置ｘRをカバーする参照ビューピクチャ３２ｔ1（Ｔ）におけるブロック４０Rの動きパラメータ４２Rが、現在のビュー２２における現在のブロック５０Cのための動きパラメータのための候補として用いられるものである
（ア）方法。
第５　対比
　本願発明の構成Ａ〜構成Ｈ３を先願発明の構成ア〜構成オと対比すると、次のことがいえる。
１　構成Ａ、構成Ｅ、構成Ｆについて
　先願発明の構成アの「ビデオシーンの２つ以上のビューを符号化するマルチビュービデオ符号化の方法」は、本願発明の構成Ａの「動画像を符号化する動画像符号化方法」に相当する。
　また、先願発明の上記方法は、構成イにおいて、動きベクトル予測候補のリストが存在し、これらの予測の１つが選択されるものであるから、前記リストに動きベクトルが複数含まれていることは明らかである。
　そして、構成ウにおいて、動き／視差補償予測のために用いられる動き／視差ベクトルおよび動き／視差ベクトル予測候補リストから選択された予測の差を特定する動き／視差ベクトル差が、ビットストリームの部分として送信されるものであり、先願発明の上記方法は、複数の動きベクトルを含むリストを用いて動画像を符号化するものである。
　したがって、本願発明と先願発明は、「複数の動きベクトルを含むリストを用いて、動画像を符号化する動画像符号化方法」（構成Ａ）である点で一致する。
　以上に加え、構成イにおいて、上記符号化の処理における動きベクトル予測候補の選択が、ブロックベースで行われているから、本願発明と先願発明は「前記リストから、符号化対象ブロックの符号化のために用いる動きベクトルを選択する選択ステップ」（構成Ｅ）及び「選択された前記動きベクトルを用いて前記符号化対象ブロックを符号化する符号化ステップ」（構成Ｆ）を備える点で一致する。
２　構成Ｂ、構成Ｃ１〜構成Ｃ３、構成Ｄ、構成Ｇについて
（１）まず、先願発明における参照するピクチャについて検討する。
（１−１）先願発明の構成エ２の「同じビューのすでに符号化されたピクチャにおいて同じ位置に配置されたブロック」における「ブロック」及び「ピクチャ」は、本願発明の構成Ｂ（ｂ）の「同一のビューに属する」場合の、構成Ｂ（ａ）の「符号化対象ピクチャとは異なるピクチャに含まれるブロックであって前記符号化対象ピクチャに含まれる符号化対象ブロックの位置に対応する位置のブロックであるｃｏ−ｌｏｃａｔｅｄブロック」及び当該「ｃｏ−ｌｏｃａｔｅｄブロックを含むピクチャ」にそれぞれ相当する。
（１−２）先願発明の構成オの「参照ビュー２０において動きが与えられる現在のブロック５０C」である「現在のビュー２２における現在のブロック５０C」及び前記「現在のブロック５０C」が属するピクチャは、本願発明の「符号化対象ブロック」及び「符号化対象ピクチャ」に相当する。
　また、先願発明の構成オの「参照ビューピクチャ３２ｔ1（Ｔ）」は、参照ビューピクチャ３２ｔ1（Ｔ）におけるブロック４０Rがカバーする「参照サンプル位置ｘR」が参照ビュー２０におけるものであるから、参照ビュー２０のものである。
　加えて、先願発明における、「動きベクトルを導出する」処理の単位である「現在のブロック５０C」や、「動きパラメータ４２Rが、現在のビュー２２における現在のブロック５０Cのための動きパラメータのための候補として用いられる」処理の単位である「参照ビューピクチャ３２ｔ1（Ｔ）におけるブロック４０R」と同様に、先願発明の構成オの「参照ビューピクチャ３２ｔ1（Ｔ）」には、ブロック４０Rがカバーする参照サンプル位置ｘRを導出するための参照ビュー２０におけるサンプル位置ｘをカバーするブロックが存在することは明らかであり、当該ブロックが「現在のブロック５０C」に対応する位置のブロック、すなわちｃｏ−ｌｏｃａｔｅｄブロックにあたる。そして、当該ｃｏ−ｌｏｃａｔｅｄブロックを含む「参照ビューピクチャ３２ｔ1（Ｔ）」が属する「参照ビュー２０」は、「現在のブロック５０C」が属する「現在のビュー２２」とは異なるビューといえるから、当該「参照ビューピクチャ３２ｔ1（Ｔ）」は、本願発明の構成Ｃ１の「ｃｏ−ｌｏｃａｔｅｄブロックを含むピクチャと符号化対象ピクチャとが異なるビューに属する」場合の、構成Ｂ（ａ）の「符号化対象ピクチャとは異なるピクチャに含まれるブロックであって前記符号化対象ピクチャに含まれる符号化対象ブロックの位置に対応する位置のブロックであるｃｏ−ｌｏｃａｔｅｄブロックを含むピクチャ」に相当する。
（２）次に、先願発明における動き／視差ベクトルの導出について検討する。
（２−１）先願発明の構成エ２の「時間的に予測された動き／視差ベクトル（例えば、同じビューのすでに符号化されたピクチャにおいて同じ位置に配置されたブロックの動き／視差ベクトルに基づいて導出される動き／視差ベクトル）」は、本願発明の構成Ｇの「前記符号化対象ピクチャと同一のビューに属するピクチャから導出される動きベクトル」に相当する。
（２−２）前記（１−２）のとおり、先願発明の「参照ビューピクチャ３２ｔ1（Ｔ）」には、ｃｏ−ｌｏｃａｔｅｄブロックが存在するといえるから、先願発明の構成オの「参照ビュー２０」は、本願発明の構成Ｃ２の「前記ｃｏ−ｌｏｃａｔｅｄブロックを含むピクチャが属するビュー」に相当する。また、前記（１−２）のとおり、「現在のビュー２２における現在のブロック５０C」が属するピクチャは、本願発明の「符号化対象ピクチャ」に相当するから、先願発明の構成オの「現在のビュー２２」は、本願発明の構成Ｃ２の「前記符号化対象ピクチャが属するビュー」にそれぞれ相当する。
　また、先願発明の構成オの「視差ベクトル１０２」は、現在のビュー２２及び参照ビュー２０の間のものであるから、本願発明の構成Ｃ２の「前記ｃｏ−ｌｏｃａｔｅｄブロックを含むピクチャが属するビューと、前記符号化対象ピクチャが属するビューとの間の視差ベクトル」に相当する。そして、構成オの「現在のブロック５０Cにおけるサンプル位置ｘおよびこのサンプル位置のためのデプス値ｄ（それは、デプスマップの推定６４によって与えられる）が与えられると、視差ベクトル１０２が導出され」ることは、本願発明の構成Ｃ２の「前記ｃｏ−ｌｏｃａｔｅｄブロックを含むピクチャが属するビューと、前記符号化対象ピクチャが属するビューとの間の視差ベクトルを取得する視差ベクトル取得ステップ」に相当する。
　さらに、構成オの「さらに、視差ベクトル１０２に基づいて、参照ビュー２０における参照サンプル位置ｘRが導出され、」「参照サンプル位置ｘRをカバーする参照ビューピクチャ３２ｔ1（Ｔ）におけるブロック４０R」が導出されることは、本願発明の構成Ｃ３の「取得された前記視差ベクトルの分、前記ｃｏ−ｌｏｃａｔｅｄブロックの位置を補正する位置補正ステップ」に相当する。
　以上のとおり、先願発明は、上記構成Ｃ２及び構成Ｃ３に相当する構成を備えているから、構成Ｃ２及び構成Ｃ３を含むものである構成Ｃ１の「ｃｏ−ｌｏｃａｔｅｄブロックの位置を補正する補正ステップ」に相当する構成を備えているといえる。
　そして、先願発明の構成エ１の「所定の（推定された）デプス値に基づいて、または、所定の（推定された）デプス値およびすでに符号化されたビューの動きパラメータに基づいて、導出される動きまたは視差ベクトル」は、本願発明の構成Ｇの「前記符号化対象ピクチャと異なるビューに属する前記ｃｏ−ｌｏｃａｔｅｄブロックから導出される動きベクトル」に相当する。
（３）最後に、先願発明における動き／視差ベクトル予測の候補リストについて検討する。
　先願発明の構成エ２の「所定のデプス値およびすでに符号化されたビューの動きパラメータに基づいて導出される動き／視差ベクトル予測」は、構成エ１の「所定の（推定された）デプス値に基づいて、または、所定の（推定された）デプス値およびすでに符号化されたビューの動きパラメータに基づいて、導出される動きまたは視差ベクトル予測」のことであるから、構成エ２は構成エ１の動き／視差ベクトル予測のほかに、「動き／視差ベクトル予測の候補リストは、時間的に予測された動き／視差ベクトルを含む」ものである。したがって、前記両者の動き／視差ベクトルは、併せて候補リストに含めるものである。
　ここで、上記（２−２）のとおり、先願発明の構成エ１の「所定の（推定された）デプス値に基づいて、または、所定の（推定された）デプス値およびすでに符号化されたビューの動きパラメータに基づいて、導出される動きまたは視差ベクトル」は、本願発明の構成Ｇの「前記符号化対象ピクチャと異なるビューに属する前記ｃｏ−ｌｏｃａｔｅｄブロックから導出される動きベクトル」に相当し、上記（２−１）のとおり、先願発明の構成エ２の「時間的に予測された動き／視差ベクトル」は、本願発明の構成Ｇの「前記符号化対象ピクチャと同一のビューに属するピクチャから導出される動きベクトル」に相当するから、先願発明の構成エ２は、本願発明の構成Ｇの「リストには、前記符号化対象ピクチャと同一のビューに属するピクチャから導出される動きベクトルと、前記符号化対象ピクチャと異なるビューに属する前記ｃｏ−ｌｏｃａｔｅｄブロックから導出される動きベクトルと、が含まれる」に相当する構成を備えているといえる。
　そして、先願発明の候補リストに含まれる「所定の（推定された）デプス値に基づいて、または、所定の（推定された）デプス値およびすでに符号化されたビューの動きパラメータに基づいて、導出される動きまたは視差ベクトル」及び「時間的に予測された動き／視差ベクトル」を候補リストに含めるために導出する際に、異なるビューの場合には視差ベクトルの導出を行い、同じビューの場合には視差ベクトルの導出を行わないことは明らかであり、このことは、本願発明の構成Ｇにおける前記両者の動きベクトルを導出する際に、前記両処理間で相違する要素である「動きベクトルを予測する際の対象となるピクチャが同一のビューに属するか否か」を判定し、異なるビューに属すると判定された場合に上記補正を行って、候補リストに含ませることに相当する。
（４）以上のことから、先願発明は、「（ａ）符号化対象ピクチャとは異なるピクチャに含まれるブロックであって前記符号化対象ピクチャに含まれる符号化対象ブロックの位置に対応する位置のブロックであるｃｏ−ｌｏｃａｔｅｄブロックを含むピクチャと、（ｂ）前記符号化対象ピクチャとが同一のビューに属するか否かを判定する判定ステップ」（構成Ｂ）、「前記ｃｏ−ｌｏｃａｔｅｄブロックを含むピクチャと前記符号化対象ピクチャとが異なるビューに属すると前記判定ステップにおいて判定された場合に、前記ｃｏ−ｌｏｃａｔｅｄブロックの位置を補正する補正ステップ」（構成Ｃ１）、「前記ｃｏ−ｌｏｃａｔｅｄブロックから導出される動きベクトルを前記リストに追加する追加ステップ」（構成Ｄ）、「前記補正ステップは、前記ｃｏ−ｌｏｃａｔｅｄブロックを含むピクチャが属するビューと、前記符号化対象ピクチャが属するビューとの間の視差ベクトルを取得する視差ベクトル取得ステップと、取得された前記視差ベクトルの分、前記ｃｏ−ｌｏｃａｔｅｄブロックの位置を補正する位置補正ステップとを含み」（構成Ｃ１〜構成Ｃ３）及び「前記ｃｏ−ｌｏｃａｔｅｄブロックを含むピクチャと前記符号化対象ピクチャとが異なるビューに属する場合に、前記リストには、前記符号化対象ピクチャと同一のビューに属するピクチャから導出される動きベクトルと、前記符号化対象ピクチャと異なるビューに属する前記ｃｏ−ｌｏｃａｔｅｄブロックから導出される動きベクトルと、が含まれる」（構成Ｇ）に相当する構成を実質的に備えるものといえる。
３　構成Ｈ１〜構成Ｈ３について
　本願の優先権主張日前に公開されていた国際公開第２０１１／０８６６４７号（以下、「周知文献１」という。）には以下の記載がある。
「具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。」（段落０２５３）
　また、本願の優先権主張日前に公開されていた特開２０１１−２５０２１９号公報（以下、「周知文献２」という。）には以下の記載がある。なお、下線は強調のため当審が付したものである。
「番組特定情報の
ＰＭＴは、
テーブル構造を用い
情報であるstream_type（ストリーム形式種別）により
ＥＳの形式を示す
「まず、
多視点映像符号化（例：H.264/MVC）ストリームのベースビューサブビットストリーム（主視点）について
０ｘ１Ｂを割り当てる
「また、
３D映像の複数視点を別ストリームで伝送する「３Ｄ２視点別ＥＳ伝送方式」でもちいる場合のH.262(MPEG2)方式のベースビュービットストリーム（主視点）について
０ｘ０２を割り当てる
　上記周知文献２の摘記事項から、周知文献２には、ＰＭＴのテーブル構造の情報であるストリームタイプにより、異なる符号化方式のストリームの形式に対応して異なる符号を割り当てる技術が示されているといえる。（以下、「周知文献２記載事項」という。）
　上記周知文献１の記載及び周知文献２記載事項によれば、ＰＭＴに含まれるストリームタイプに、各動画像符号化方法によって生成された映像データであることを示す固有の情報を設定して、映像データを他の規格に準拠する映像データと識別可能とすることは、周知技術であると認められる。
　ここで、各動画像符号化方法によって映像データが生成される際に、各方法に対応して符号化の処理が切り替えられることは通常採られる手法と認められるから、本願発明の構成Ｈ１の「符号化処理を第１規格に準拠する第１符号処理または第２規格に準拠する第２符号化処理に切り替える切り替えステップと、」、構成Ｈ２の「切り替えられた前記符号化処理が準拠する第１規格または第２規格を示す識別情報をビットストリームに付加する付加ステップと、を含み、」及び構成Ｈ３の「前記識別情報が前記第１規格を示すとき、」とすることは、通常採られることといえる。
　そして、先願発明の解決すべき課題は、先願の国際出願明細書（上記第４の１イ）によれば、「より効率的なマルチビュー符号化のコンセプトを提供すること」とされているところ、先願発明に上記周知技術を付加することは、上記課題を解決するための具体化手段における微差というべきものであって、新たな効果を奏するものではない。
　したがって、構成Ｈ１〜Ｈ３は、本願発明と引用発明との間で実質的に相違する構成とはいえない。
５　まとめ
　以上のとおり、先願発明は、本願発明の構成Ａ〜構成Ｈ３の全てにおいて同一又は実質的に同一の構成を有するから、本願発明と実質的に同一である。したがって、本願発明は、国際出願明細書等に記載された発明であるといえる。
　また、本願の発明者が先願の発明者と同一ではなく、本願の出願の時において、本願の出願人が先願の出願人と同一でもない。
　よって、本願発明は、特許法第２９条の２の規定により特許を受けることができない。
第６　むすび
　本願の特許請求の範囲の請求項１に係る発明は、特許法第２９条の２の規定により特許を受けることができないから、他の請求項に係る発明について検討するまでもなく、本願は拒絶されるべきものである。
　よって、結論のとおり審決する。